(57)【特許請求の範囲】
【請求項１】
安定化二酸化塩素水溶液１を入れて密封したアルミニウムを薄く紙のようにのばしたもので密封袋体２を形成し、更に不織布等の微細で無数の連通孔を備えた表布３の裏面に、通気性を有すると共に水分を通さない性質を備えた合成樹脂シート４を積層した生地５で袋体６を形成し、又更に袋体６内にＮ−ビニルアセトアミド重合体架橋物、ケイ酸カルシュウム又はその他安定化二酸化塩素水溶液を吸収出来る物などの賦活剤７と前記密封袋体２を入れると共に安定化二酸化塩素水溶液１が５０グラムに対し賦活剤７を５グラムの割合で袋体６を密封し、且つ安定化二酸化塩素水溶液１を入れて密封した密封袋体２は、周縁を接着した接着縁部１２を設けると共に接着縁部１２の幅よりも小幅の開口縁部９を形成して押圧によって開口縁部９を開口して密封状態を破壊することができるように形成したことを特徴とする消臭、腐敗防止又は除菌用薬物体
【発明の詳細な説明】
【０００１】
【産業上の利用分野】
この発明は微量のガスを放出して消臭、殺菌、防カビ、鮮度保持等に使用して好適な消臭、腐敗防止又は除菌用薬物体に関するものである。
【０００２】
【従来の技術】
従来から安定化二酸化塩素水溶液を用いて農家のハウス栽培の害虫駆除、細菌殺滅、病気予防、その他各使用箇所に応じて殺菌、除菌、消臭、鮮度保持等に使用する多種多様の消臭、腐敗防止又は除菌用薬物体は知られている。
【０００３】
【発明が解決しようとする問題点】
ところで、従来の安定化二酸化塩素水溶液を用いて農家のハウス栽培の害虫駆除、細菌殺滅、病気予防、その他各使用箇所に応じて殺菌、除菌、消臭、鮮度保持等に使用する消臭、腐敗防止又は除菌用薬物体は使用手段を誤れば植物を枯らし、又は安定化二酸化塩素水溶液が人体に付着して被害を起こすおそれがあり、使い勝手が悪く、更に操作が不便でありその取り扱いを慎重に行わなくてはならないなどの欠点があった。
【０００４】
この発明は上記の問題点を解決したものであつて、構造が簡単で複雑な操作を必要とせず取り扱いが容易であると共に簡便に使用が出来るもので、使い勝手が良く、使用便利な消臭、腐敗防止又は除菌用薬物体を得ることを目的としたものである。
【０００５】
【問題点を解決するための手段】
上記の目的を達成するためにこの発明は、安定化二酸化塩素水溶液１を入れて密封したアルミニウムを薄く紙のようにのばしたもので密封袋体２を形成し、更に不織布等の微細で無数の連通孔を備えた表布３の裏面に、通気性を有すると共に水分を通さない性質を備えた合成樹脂シート４を積層した生地５で袋体６を形成し、又更に袋体６内にＮ−ビニルアセトアミド重合体架橋物、ケイ酸カルシュウム又はその他安定化二酸化塩素水溶液を吸収出来る物などの賦活剤７と前記密封袋体２を入れると共に安定化二酸化塩素水溶液１が５０グラムに対し賦活剤７を５グラムの割合で袋体６を密封し、且つ安定化二酸化塩素水溶液１を入れて密封した密封袋体２は、周縁を接着した接着縁部１２を設けると共に接着縁部１２の幅よりも小幅の開口縁部９を形成して押圧によって開口縁部９を開口して密封状態を破壊することができるように形成したものである。
【０００６】
【実施例】
以下図面についてこの発明の実施例を説明すると、アルミニウムを薄く紙のようにのばしたもので気体、水分を通さない袋に安定化二酸化塩素水溶液１を入れて密封した密封袋体２を形成したものである（図１、図２参照）。
【０００７】
又不織布等の微細で無数の連通孔を備えた表布３の裏面に、通気性を有すると共に水分を通さない性質を備えた合成樹脂シート４を積層した生地５で袋体６を形成したものである（図１〜図５参照）。
【０００８】
又袋体６内にＮ−ビニルアセトアミド重合体架橋物、ケイ酸カルシュウム又はその他安定化二酸化塩素水溶液を吸収出来る物などの賦活剤７と安定化二酸化塩素水溶液１を封入した密封袋体２を入れると共に安定化二酸化塩素水溶液１が５０グラムに対し賦活剤７を５グラムの割合で袋体６の周縁部１４を接着して密封したものである（図１、図２参照）。
【０００９】
又安定化二酸化塩素水溶液１を入れて密封した密封袋体２は図６に図示したように指先１３による押圧によって開口することが容易確実にできるように密封袋体２の周縁を接着した接着縁部１２の幅よりも小幅の開口縁部９を形成し、該開口縁部９を開口して密封状態を破壊することができてるように形成したものである（図３、図６、図７参照）。
【００１０】
又密封袋体２は押圧によっての密封状態を破壊することで賦活剤７に対する二酸化塩素水溶液１の浸透によってゼリー状体８が形成されるようにしたものである（図３、図４、図６、図７参照）。
【００１１】
又使用場所、例えば便所等に於いては「ヒノキ」の匂いがする香料を僅かに賦活剤７に混入しておくことによって「ヒノキ」の匂いがする消臭を行うことができるものである。
【００１２】
又実験の結果安定化二酸化塩素水溶液１が５０グラムに対し賦活剤７を５グラムの割合で混合させたものがガスの拡散が好適で２、３か月に亘り効果を良好に持続させることができたものである。
【００１３】
【発明の作用効果】
この発明は以上のような構成であり、安定化二酸化塩素水溶液１とＮ−ビニルアセトアミド重合体架橋物、ケイ酸カルシュウム又はその他安定化二酸化塩素水溶液を吸収出来る物などの賦活剤７とを混合してゼリー状体８が形成された状態の袋体６を所望の位置、即ち農家のハウス栽培時のハウス内、便所内、野菜、果物等の保存又は遺体の保存の為等に使用するものであるが、使用に際しては袋体６から微量の安定化二酸化塩素水溶液１のガスが数か月に亘って放出され消臭、殺菌、防カビ、鮮度保持等の作用を行うものである。
【００１４】
又安定化二酸化塩素水溶液１を入れて密封したアルミニウムを薄く紙のようにのばしたもので密封袋体２を形成し、更に不織布等の微細で無数の連通孔を備えた表布３の裏面に、通気性を有すると共に水分を通さない性質を備えた合成樹脂シート４を積層した生地５で袋体６を形成し、又更に袋体６内にＮ−ビニルアセトアミド重合体架橋物、ケイ酸カルシュウム又はその他安定化二酸化塩素水溶液を吸収出来る物などの賦活剤７と前記密封袋体２を入れると共に袋体６を密封し、且つ密封袋体２の押圧によって密封状態を破壊することができて賦活剤７に対する安定化二酸化塩素水溶液１の浸透によってゼリー状体８が形成されるようにしたことによって安定化二酸化塩素水溶液１と賦活剤７とが分離されていて使用時にガスを発散するゼリー状体８とすることで消臭・殺菌等に好適なガスを数か月に亘り放出できて極めて経済的であり、又人体に安定化二酸化塩素水溶液が直接触れて支障を与えることがなく使用状極めて安全で衛生的である。
【００１５】
又安定化二酸化塩素水溶液１を入れて密封した密封袋体２は図６に図示したように指先１３による押圧によって開口することが容易確実にできるように密封袋体２の周縁を接着した接着縁部１２の幅よりも小幅の開口縁部９を形成し、該開口縁部９を開口して密封状態を破壊することができるものである。
【００１６】
又安定化二酸化塩素水溶液１が５０グラムに対し賦活剤７を５グラムの割合で混合させたのでガスの拡散が好適で２、３か月に亘り効果を良好に持続させることができたものである。
【００１７】
又構造が簡単で大量生産に適し安価に提供できる等の幾多の産業的効果を奏するものである。
【図面の簡単な説明】
【図１】一部を切欠した正面図である。
【図２】図１に於けるＡ−Ａ断面図である。
【図３】ゼリー状体を形成した状態の正面図である。
【図４】図３に於けるＢ−Ｂ断面図である。
【図５】図４に於けるＡ部の拡大面図である。
【図６】ゼリー状体の形成状態を示した説明図である。
【図７】密封袋体の一部を切欠した正面図である。
【符号の説明】
１  安定化二酸化塩素水溶液
２  密封袋体
３  表布
４  合成樹脂シート
５  生地
６  袋体
７  賦活剤
８  ゼリー状体
９  開口縁部
１０  開口縁
１１  袋状体
１２  接着縁部
１３  指先
１４  周縁部
【図１】
0003542524.tif 000002
【図２】
0003542524.tif 000003
【図３】
0003542524.tif 000004
【図４】
0003542524.tif 000005
【図５】
0003542524.tif 000006
【図６】
0003542524.tif 000007
【図７】
0003542524.tif 000008